(57)【要約】【課題】カードプリンタに対しカードを容易にセットでき、且つ、大型化を抑制しながらカードをカードプリンタに供給することが可能となるカード収納ユニットを提供する。【解決手段】本発明にかかるマガジンホルダ２１は、カードプリンタ５０に組み込まれ、第１底床部１０Ｅと第１底床部１０Ｅから立ち上がる４つの第１側壁を有する第１側壁体１０Ｆを含む四角筒状の形状をもつカードマガジン１０が挿入されるマガジンホルダ２１であって、第２底床部２１Ｅと第２底床部２１Ｅから立ち上がる４つの第２側壁を含む第２側壁体２１Ｆとを含む四角筒状の形状をもち、マガジンホルダ２１の上端部に、カードマガジン１０を抑えるマガジン抑え部８０，９０が設けられている。  マガジンホルダ。【選択図】図５
2020160601.tif 000002
【特許請求の範囲】
【請求項１】
カードプリンタに組み込まれ、第１底床部と、前記第１底床部から立ち上がる４つの第１側壁を有する第１側壁体と、を含む四角筒状の形状をもつカードマガジンが挿入されるマガジンホルダであって、
第２底床部と、前記第２底床部から立ち上がる４つの第２側壁を含む第２側壁体と、を含む四角筒状の形状をもち、
前記マガジンホルダの上端部に、前記カードマガジンを抑えるマガジン抑え部が設けられている、
マガジンホルダ。
【請求項２】
請求項１に記載のマガジンホルダであって、
前記カードマガジンの対向する一対の前記第１側壁に第１フラップと第２フラップが各々設けられ、
前記マガジン抑え部は、前記マガジンホルダに設けられ前記マガジンホルダの前記第２側壁の外壁面に沿う前記第１フラップと前記第２フラップとを、対応する前記第２側壁との間で保持するフラップ保持部を有する、
マガジンホルダ。
【請求項３】
請求項２に記載のマガジンホルダであって、
前記フラップ保持部は、その端部に設けられた水平方向に延びる回動軸を中心に回動するＵ字型形状の回動保持枠を有し、
前記回動保持枠は、前記第１フラップを保持する第１回動部材と、前記第２フラップを保持する第２回動部材と、前記第１回動部材と前記第２回動部材とを連結する第１連結部材とを有する、
マガジンホルダ。
【請求項４】
請求項２に記載のマガジンホルダであって、
前記フラップ保持部は、その端部に設けられた上下方向に延びる回動軸を中心に回動可能に前記マガジンホルダに設けられた一対の開閉保持板からなり、
一方の前記開閉保持板は前記第１フラップを保持し、他方の前記開閉保持板は前記第２フラップを保持する、
マガジンホルダ。
【請求項５】
請求項２に記載のマガジンホルダであって、
前記フラップ保持部は、前記マガジンホルダの前記第２側壁体の外壁面に対して水平方向に摺動可能に設けられたＵ字型形状のスライド保持枠を有し、
前記スライド保持枠は、前記第１フラップを保持する第１スライド部材と、前記第２フラップを保持する第２スライド部材と、前記第１スライド部材と前記第２スライド部材とを連結する第２連結部材と、を有する、
マガジンホルダ。
【請求項６】
請求項１に記載のマガジンホルダであって、
前記マガジン抑え部は、前記カードマガジンの前記第１側壁体の上端部と前記マガジンホルダの前記第２側壁体の上端部とを重ね合わせた状態で挟持するマガジン挟持部を有する、
マガジンホルダ。
【請求項７】
請求項６に記載のマガジンホルダであって、
前記マガジン挟持部は、その端部に設けられた水平方向に延びる回動軸を中心に回動する四角形形状の回動挟持枠を有し、
前記回動挟持枠は、前記回動挟持枠の外周壁を構成する第１外周壁部と、前記回動挟持枠の４つの角領域のそれぞれに第１スペーサを介して前記第１外周壁部と対向して配置される弾性壁部と、を有し、
前記第１外周壁部と前記弾性壁部との間で前記カードマガジンと前記マガジンホルダとを重ね合わせた状態で挟持する、
マガジンホルダ。
【請求項８】
請求項６に記載のマガジンホルダであって、
前記マガジン挟持部は、前記マガジンホルダの本体から分離可能であって、前記マガジンホルダの前記第２側壁体の上端部を覆う状態となることのできる四角形形状を有する枠状の分離型挟持枠を有し、
前記分離型挟持枠は、前記分離型挟持枠の外周壁を構成する第２外周壁部と、前記第２外周壁部と第２スペーサを介して対向して配置される対向壁部と、を有し、
前記第２外周壁部と前記対向壁部との間で前記カードマガジンと前記マガジンホルダとを重ね合わせた状態で挟持する、
マガジンホルダ。
【請求項９】
請求項１から８のいずれか１つに記載のマガジンホルダであって、
本体が軟質プラスチック製又は紙製である前記カードマガジンが挿入されるマガジンホルダ。
【請求項１０】
請求項１から９のいずれか１つに記載のマガジンホルダであって、
前記カードマガジンは、いずれかの前記第１側壁に、上下方向に延びる第１スリットを形成する易開封性部を有し、
前記マガジンホルダは、前記第１スリットが形成される前記第１側壁に対応する前記第２側壁に、上下方向に延びる第２スリットを有し、
前記カードマガジンが前記マガジンホルダに挿入されたとき、前記第２スリットを有する前記第２側壁の壁面の法線方向から観察して、前記第１スリットが前記第２スリットの内側の領域に含まれる、
マガジンホルダ。
【請求項１１】
請求項１から９のいずれか１つに記載のマガジンホルダと、
前記カードマガジンの外部からカードを吸着する吸着部を有し、前記吸着部が上下方向及び水平方向に移動可能となるカード移送機構と、を備えた、
カード供給装置。
【請求項１２】
請求項１０に記載のマガジンホルダと、
前記カードマガジンの外部から前記第２スリット及び前記第１スリットを通して前記カードマガジンまで延びるアーム、及び、前記アームの先端に設けられ、カードを吸着する吸着部を有し、前記吸着部が上下方向及び水平方向に移動可能な、カード移送機構と、を備える、
カード供給装置。
【請求項１３】
請求項１１又は１２に記載のカード供給装置と、
前記カード供給装置から供給される前記カードを搬送するカード搬送部と、
前記カード搬送部によって搬送される前記カードに対して情報を印刷する印刷部と、を備える、
カードプリンタ。
【発明の詳細な説明】
【技術分野】
【０００１】
本発明は、例えば偽造、変造防止等の安全性（セキュリティ）が要求されるカード等を製造するためのカードプリンタ、並びに、これに組み込まれるマガジンホルダ及びカード供給装置に関する。
【背景技術】
【０００２】
セキュリティが要求されるカードとして、身分証明書カード（ＩＤカード）やクレジットカード等が挙げられる。このようなカードは、セキュリティの確保のための図柄等を印刷する前段の印刷工程と、文字等を印刷する後段の印刷工程と、を経て作成される場合がある。
【０００３】
前段の印刷工程で行う印刷としては、例えば、すかし印刷、マイクロ文字印刷、レインボー印刷、パール印刷等が挙げられる。また、ＩＣチップ付きのカードを製造する際には、ＩＣチップを内蔵する印刷前のカードを作成した後に、前段の印刷工程及び後段の印刷工程を行う場合もある。
【０００４】
上記のように前段の印刷工程と後段の印刷工程とが行われる場合、通常、前段の印刷工程を行うカードプリンタと後段の印刷工程を行うカードプリンタとは、別々の装置として構成される。この場合、前段の印刷工程によって印刷を施されたカードを、後段のカードプリンタにセットする作業が生じる。
【０００５】
特許文献１には、ＩＣチップを内蔵する複数枚の印刷前のカードを収納した容器を直接的に装着し、容器からカードプリンタの印刷部にカードを順次供給するカードプリンタが開示されている。
【０００６】
上記カードプリンタでは、カードをカードプリンタに対してセットする作業が容易になるが、単にカードを収納するだけでなく、カードプリンタへの装着のための構造を有する専用の容器が必要になるため、容器コストが多くかかってしまう。この点を考慮して、容器を再利用したとしても、容器の回収費用、その後の検査、洗浄等が必要になるため、大幅なコスト低減は期待できない。
【０００７】
一方で、本出願人は、廉価に形成され得るカード包装容器と、このカード包装容器を収納するホルダと、カード包装容器を収納した状態のホルダをカードプリンタに装着するためのアダプタと、を備える装置を、特許文献２において提案している。この装置では、ホルダとアダプタが必要になるが、カード包装容器は簡易的に形成され得るため、長期的に使用する際にコストメリットが得られる。
【先行技術文献】
【特許文献】
【０００８】
【特許文献１】特開２００５−３３９４２９号公報
【特許文献２】特開２０１８−７７７８１号公報
【発明の概要】
【発明が解決しようとする課題】
【０００９】
特許文献２の装置をカードプリンタに装着する際には、カード包装容器が上方からホルダ内に収納された上で、アダプタが上方からホルダに取り付けられ、このアセンブリが反転された後、アダプタがカードプリンタのカード装着部に上方から装着される。しかしながら、このような作業には、手間がかかる場合がある。
【００１０】
本発明は上記実情に鑑みてなされたものであり、カードプリンタに対しカードを容易にセットでき、且つ、大型化を抑制しながら、カードをカードプリンタに供給することが可能となるカードマガジン、カード供給装置及びカードプリンタを提供することを目的とする。
【課題を解決するための手段】
【００１１】
上記課題を解決するために、本発明のマガジンホルダは、カードプリンタに組み込まれ、第１底床部と、前記第１底床部から立ち上がる４つの第１側壁を有する第１側壁体と、を含む四角筒状の形状をもつカードマガジンが挿入されるマガジンホルダであって、第２底床部と、前記第２底床部から立ち上がる４つの第２側壁を含む第２側壁体と、を含む四角筒状の形状をもち、前記マガジンホルダの上端部に、前記カードマガジンを抑えるマガジン抑え部が設けられている。
【００１２】
また、前記マガジンホルダは、前記カードマガジンの対向する一対の前記第１側壁に第１フラップと第２フラップが各々設けられ、前記マガジン抑え部が、前記マガジンホルダに設けられ前記マガジンホルダの前記第２側壁の外壁面に沿う前記第１フラップと前記第２フラップとを、対応する前記第２側壁との間で保持するフラップ保持部を有していてもよい。前記フラップ保持部は、その端部に設けられた水平方向に延びる回動軸を中心に回動するＵ字型形状の回動保持枠を有し、前記回動保持枠は、前記第１フラップを保持する第１回動部材と、前記第２フラップを保持する第２回動部材と、前記第１回動部材と前記第２回動部材とを連結する第１連結部材とを有してもよい。前記フラップ保持部は、その端部に設けられた上下方向に延びる回動軸を中心に回動可能に前記マガジンホルダに設けられた一対の開閉保持板からなり、一方の前記開閉保持板は前記第１フラップを保持し、他方の前記開閉保持板は前記第２フラップを保持してもよい。前記フラップ保持部は、前記マガジンホルダの前記第２側壁体の外壁面に対して水平方向に摺動可能に設けられたＵ字型形状のスライド保持枠を有し、前記スライド保持枠は、前記第１フラップを保持する第１スライド部材と、前記第２フラップを保持する第２スライド部材と、前記第１スライド部材と前記第２スライド部材とを連結する第２連結部材と、を有してもよい。
【００１３】
また、前記マガジンホルダは、前記マガジン抑え部が、前記カードマガジンの前記第１側壁体の上端部と前記マガジンホルダの前記第２側壁体の上端部とを重ね合わせた状態で挟持するマガジン挟持部を有してもよい。前記マガジン挟持部は、その端部に設けられた水平方向に延びる回動軸を中心に回動する四角形形状の回動挟持枠を有し、前記回動挟持枠は、前記回動挟持枠の外周壁を構成する第１外周壁部と、前記回動挟持枠の４つの角領域のそれぞれに第１スペーサを介して前記第１外周壁部と対向して配置される弾性壁部と、を有し、前記第１外周壁部と前記弾性壁部との間で前記カードマガジンと前記マガジンホルダとを重ね合わせた状態で挟持してもよい。前記マガジン挟持部は、前記マガジンホルダの本体から分離可能であって、前記マガジンホルダの前記第２側壁体の上端部を覆う状態となることのできる四角形形状を有する枠状の分離型挟持枠を有し、前記分離型挟持枠は、前記分離型挟持枠の外周壁を構成する第２外周壁部と、前記第２外周壁部と第２スペーサを介して対向して配置される対向壁部と、を有し、前記第２外周壁部と前記対向壁部との間で前記カードマガジンと前記マガジンホルダとを重ね合わせた状態で挟持してもよい。
【００１４】
また、前記マガジンホルダは、本体が軟質プラスチック製又は紙製である前記カードマガジンが挿入されるものであってもよい。
【００１５】
また、前記カードマガジンは、前記カードマガジンが、いずれかの前記第１側壁に、上下方向に延びる第１スリットを形成する易開封性部を有し、前記マガジンホルダが、前記第１スリットが形成される前記第１側壁に対応する前記第２側壁に、上下方向に延びる開口第２スリットを有し、前記カードマガジンが前記マガジンホルダに挿入されたとき、前記第２スリットを有する前記第２側壁の壁面の法線方向から観察して、前記第１スリットが前記第２スリットの内側の領域に含まれていてもよい。
【００１６】
本発明のカード供給装置は、前記マガジンホルダと、前記カードマガジンの外部から前記カードを吸着する吸着部を有し、前記吸着部が上下方向及び水平方向に移動可能となるカード移送機構と、を備える。また、前記カード供給装置は、前記マガジンホルダと、前記カードマガジンの外部から前記第２スリット及び前記第１スリットを通して前記カードマガジンまで延びるアーム、及び、前記アームの先端に設けられ、前記カードを吸着する吸着部を有し、前記吸着部が上下方向及び水平方向に移動可能な、カード移送機構と、を備えてもよい。
【００１７】
本発明のカードプリンタは、前記カード供給装置と、前記カード供給装置から供給される前記カードを搬送するカード搬送部と、前記カード搬送部によって搬送される前記カードに対して情報を印刷する印刷部と、を備える。
【発明の効果】
【００１８】
本発明によれば、カードプリンタに対しカードを容易にセットでき、且つ、装置の大型化を抑制しながら、カードをカードプリンタに供給することが可能となる。
【図面の簡単な説明】
【００１９】
【図１】本実施形態のカードプリンタを概略的に示す正面図である。
【図２】本実施形態のカードマガジンの背面側の斜視図である。
【図３】本実施形態のマガジンホルダの正面側の斜視図である。
【図４】本実施形態のマガジンホルダの背面側の斜視図である。
【図５】本実施形態のカードマガジンを収納するマガジンホルダの背面側の斜視図である。
【図６】本実施形態のカード供給装置を概略的に示す正面図である。
【図７Ａ】本実施形態のカード供給装置を概略的に示す縦断面図であり、図６のＡ−Ａ断面を示すものである。
【図７Ｂ】本実施形態のカード供給装置を概略的に示す縦断面図であり、図６のＡ−Ａ断面を示すものである。
【図８Ａ】本実施形態のフラップ保持部を有するマガジンホルダの斜視図である。
【図８Ｂ】本実施形態のフラップ保持部を有するマガジンホルダの斜視図である。
【図８Ｃ】本実施形態のフラップ保持部を有するマガジンホルダの斜視図である。
【図９】本実施形態のフラップ保持部を有するマガジンホルダの上面図であり、図８Ｃの状態を示すものである。
【図１０Ａ】第１変形例のフラップ保持部を有するマガジンホルダの斜視図である。
【図１０Ｂ】第１変形例のフラップ保持部を有するマガジンホルダの斜視図である。
【図１１】第１変形例のフラップ保持部を有するマガジンホルダの上面図であり、図１０Ｂの状態を示すものである。
【図１２Ａ】第２変形例のフラップ保持部を有するマガジンホルダの斜視図である。
【図１２Ｂ】第２変形例のフラップ保持部を有するマガジンホルダの斜視図である。
【図１３】第２変形例のフラップ保持部を有するマガジンホルダの上面図であり、図１２Ｂの状態を示すものである。
【図１４Ａ】第３変形例のマガジン挟持部を有するマガジンホルダの斜視図であり、カードマガジンが収納された状態を示すものである。
【図１４Ｂ】第３変形例のマガジン挟持部を有するマガジンホルダの斜視図であり、カードマガジンが収納された状態を示すものである。
【図１５】第３変形例のマガジン挟持部を有するマガジンホルダの一部を示す縦断面図であり、図１４ＢのＢ−Ｂ断面を示すものである。
【図１６Ａ】第４変形例のマガジン挟持部を有するマガジンホルダの斜視図であり、カードマガジンが収納された状態を示すものである。
【図１６Ｂ】第４変形例のマガジン挟持部を有するマガジンホルダの斜視図であり、カードマガジンが収納された状態を示すものである。
【図１７】第４変形例のマガジン挟持部を有するマガジンホルダの一部を示す縦断面図であり、図１６ＢのＣ−Ｃ断面を示すものである。
【発明を実施するための形態】
【００２０】
以下、本発明の一実施の形態（以下、「本実施形態」という。）について、図面を参照しつつ説明する。
【００２１】
まず、本実施形態のカード供給装置４０が組み込まれるカードプリンタ５０について説明する。
【００２２】
図１は、本実施形態のカードプリンタ５０を概略的に示す正面図である。
【００２３】
図１を含む以下の図中及び以下の説明において、理解を容易にするために、水平面内において互いに直交する２方向をＸ方向及びＹ方向とし、垂直方向、つまり、Ｘ方向及びＹ方向に直交する方向をＺ方向とする。Ｘ方向は、図１の左右方向とし、右方向を＋Ｘ方向、左方向を−Ｘ方向とする。Ｙ方向は、図の１の紙面手前奥方向とし、手前から奥への方向を＋Ｙ方向とし、奥から手前への方向を−Ｙ方向とする。Ｚ方向は、図１の上下方向であり、上方向を＋Ｚ方向とし、下方向を−Ｚ方向とする。また、以下の説明において、Ｚ方向を垂直方向又は縦方向といい、ＸＹ面の面内方向を水平方向又は横方向ということもある。また、カードプリンタ５０の図１における手前側を正面側といい、その反対である奥側を背面側とする。
【００２４】
このカードプリンタ５０は、例えば、カード使用者の個人情報が書き込まれたＩＣカードを作成することが可能な装置であるが、その他の種類のカードを作成するために使用されるものであってもよい。
【００２５】
図１に示すように、カードプリンタ５０は、カード１を収納及び供給するカード供給装置４０と、カードプリンタ５０内においてカード１をベルトコンベアなどにより搬送するカード搬送部５３と、カード１を反転させるカード反転装置５４と、カード１に顔写真や文字情報などを印刷する情報印刷部５５と、カード１に透明保護層を付与する透明保護層付与部５６と、を有している。
【００２６】
カード供給装置４０は、予め枚葉状にカットされた複数枚のカード１を収納するカード収納装置２０と、カード収納装置２０に収納されているカード１をカードプリンタ５０のカード搬送部５３まで移送するカード移送機構３０と、を有している。図１に示す例では、カード供給装置４０は、４つのカード収納装置２０を有している。この４つのカード収納装置２０は、それぞれ異なる種類のカードを収納している。
【００２７】
カード収納装置２０に収納されているカードは、印刷が施される面（例えば、顔写真を記録する面）を下に向け、印刷が施されない面を上に向けて、積層されている。より詳しく説明すると、カード１は、支持体と受像層とからなり、支持体が上に向けられ、受像層が下に向けられた状態でカード１がストックされる。カード移送機構３０は、カード１を、選択されたカード収納装置２０から、所定のタイミングで１枚ずつ上方に取り出し、カードプリンタ５０のカード搬送部５３に自動供給する。
【００２８】
カード収納装置２０から取り出されたカード１は、まず、カード移送機構３０により、印刷を施されない面を上方に向けられた状態でカード搬送部５３に置かれる。その後、カード１は、カード搬送部５３によって反転装置５４に送られ、カード反転装置５４によって反転された後、情報印刷部５５に供給される。本実施形態では、カード１が情報印刷部５５内で上方から印刷を施されるため、上述したカード反転装置５４が設けられる。
【００２９】
なお、カード１は、カード収納装置２０において印刷を施される面を上に向けてストックされてもよく、この場合には、カード反転装置５４は設けられなくてもよい。ただし、後述の印刷不良の発生を抑制するために、カード１は、カード収納装置２０において印刷を施される面を下に向けてストックされていることが好ましい。
【００３０】
情報印刷部５５は、昇華印刷ユニット５５ａと、溶融印刷ユニット５５ｂと、を有している。昇華印刷ユニット５５ａは、カード１が移動されている間に、Ｙ印刷（イエロー印刷）、Ｍ印刷（マゼンタ印刷）、Ｃ印刷（シアン印刷）及びＯＰ印刷（オーバープリント印刷）などにより、その受像層の所定領域にカード使用者の顔写真等の諧調を有する画像を印刷する。溶融印刷ユニット５５ｂは、文字リボン等の熱転写シートによる熱転写で、その氏名やカード発行日等の認証識別情報を印刷する。
【００３１】
透明保護層付与部５６では、転写箔カセット（図示せず）が配置され、この転写箔カセットに対応して熱転写ヘッド（図示せず）が配置されている。そして、この透明保護層付与部５６によって、カード１上に透明保護層が設けられる。
【００３２】
次に、カード収納装置２０について説明する。
【００３３】
図１に示すように、カード収納装置２０は、カードマガジン１０を収納するマガジンホルダ２１と、カードプリンタ５０に固定され、マガジンホルダ２１が載置されて装着されるホルダ載置台２２と、を有する。カードマガジン１０は、複数のカード１を上下方向に積層して収納するカード包装容器である。マガジンホルダ２１は、ホルダ載置台２２に着脱自在に装着されるとともに、カードマガジン１０を所定位置に保持した状態で収納する。
【００３４】
図２は、本実施形態のカードマガジン１０の背面側の斜視図である。
【００３５】
カードマガジン１０は、上面視において矩形形状を有する有底筒状、つまり、四角筒状、のマガジン本体１０Ｂと、マガジン本体１０Ｂの上方に設けられた第１開口１０Ａと、フラップ１０Ｃ，１０Ｄと、挿入孔１０ＣＡ，１０ＤＡと、を有する。また、マガジン本体１０Ｂは、背面側の側壁部に設けられ、マガジン本体１０Ｂから容易に取り外すことが可能な部分又は部材である易開封性部１００を有している。
【００３６】
カードマガジン１０の材料は、特に限定されないが、樹脂製が好ましく、プラスチック製がより好ましい。特に、軽量且つ折り畳み可能な軟質プラスチックで成形したカードマガジン１０は、使用前及び使用後のカードマガジン１０の保管スペース及び輸送コスト、並びに、廃棄コストを抑えることができる。本実施形態のマガジンホルダ２１は、この軟質プラスチックで成形したカードマガジン１０を収納するのに特に適したものとなっている。そのため、本発明のカードマガジン１０は、軟質プラスチック製であることが好ましい。また、本実施形態のマガジンホルダ２１は、繊維紙又は合成紙などの紙製のカードマガジンを収納するのにも適したものとなっている。
【００３７】
なお、本明細書において、軟質プラスチックとは、熱可塑性樹脂の中でも汎用プラスチック（一般的に耐熱温度１００℃未満の材料）に分類されるものとする。
【００３８】
カードマガジン１０は、上方に開口する第１開口１０Ａを設けられ、マガジンホルダ２１に収納される前の状態において複数のカード１を第１開口１０Ａから上下方向に積層して収納可能となっている。図２に示すように、カードマガジン１０は、上述の第１開口１０Ａを含むマガジン本体１０Ｂと、第１開口１０Ａの周縁に折り曲げ自在に接続された折曲部としてのフラップ１０Ｃ，１０Ｄとを有している。
【００３９】
２つのフラップ１０Ｃ，１０Ｄは、第１開口１０Ａを挟んで対向する位置関係にある。図２に示す例では、一方のフラップ１０Ｃは、カードマガジン１０の蓋として機能するものとなっている。この場合、他方のフラップ１０Ｄを第１開口１０Ａ側に折り込んだ後に蓋として機能するフラップ１０Ｃを第１開口１０Ａ側に折り込むことで、第１開口１０Ａを閉鎖することが可能となる。また、図２に示すカードマガジン１０においては、マガジン本体１０Ｂに、第１開口１０Ａの周縁から下方に延びる易開封性部１００が形成されている。
【００４０】
易開封性部１００は、マガジン本体１０Ｂから容易に取り外すことが可能な部分又は部材であって、取り外された際に、背面側に開口し且つ上下方向に延びる第１スリット１００Ａを形成するか又は開口させるように構成されている。本実施形態では、図２の破線Ｌ１で囲まれる部分が易開封性部１００に対応しており、易開封性部１００が取り外された際には、破線Ｌ１で囲まれた部分に対応する形状の第１スリット１００Ａが形成される。
【００４１】
後述の図５に示すマガジンホルダ２１に収納された状態のカードマガジン１０においては、易開封性部１００が取り外されており、第１スリット１００Ａが形成されている。第１スリット１００Ａは、第１開口１０Ａから下方に長尺状に延びている。なお、易開封性部１００は、マガジンホルダ２１にカードマガジン１０を収納する前に取り外しても良いが、カードマガジン１０のマガジンホルダ２１への装填容易性、及び、カードマガジン１０内に収納されたカード１の落下防止性を考慮すると、マガジンホルダ２１にカードマガジン１０を収納した後に取り外す方が好ましい。
【００４２】
本実施形態における易開封性部１００は、カードマガジン１０上において破線Ｌ１の箇所に位置するミシン目によって区画される区域によって形成されている。ここで、カードマガジン１０は、前述のとおり、好ましくは樹脂製、より好ましくはプラスチック製となっている。カードマガジン１０がプラスチック製である場合、易開封性部１００の取り外しの容易化を考慮すると、易開封性部１００を規定するミシン目はマイクロミシン目であることが好ましく、具体的には、０．２５ｍｍ以上０．３５ｍｍ以下のスリット状の貫通部分と、０．１５ｍｍ以上０．２５ｍｍ以下の非貫通部分とが線状に交互に並ぶように形成されるミシン目であることが好ましい。
【００４３】
また、本実施形態では、易開封性部１００の第１開口１０Ａ側とは反対の側の端部が、先細りの三角形状に形成されている。この場合、第１開口１０Ａ側から下方に易開封性部１００を引っ張ることにより、下方の一方向のみに力をかけることで易開封性部１００を取り外すことができるため、取り外し時の作業性を向上でき、またミシン目以外の部分が裂けるような開口不良も抑制することができる。なお、易開封性部１００の端部の形状が半円形などであっても同様の効果が得られる。さらに、易開封性部１００の第１開口１０Ａ側は開封後の角部で手を切らないようにＲ形状やテーパ形状にしても良く、ミシン目と第１開口１０Ａが交差する部分に、誘導するための切込みを入れておいても良い。
【００４４】
なお、本発明の易開封性部１００は、ミシン目によって区画される領域によって形成されるものに限定されず、第１スリット１００Ａを閉じるようにカードマガジン１０に粘着されるテープ等であってもよい。ただし、ミシン目は部材を増加させることなく形成できることから、本発明の易開封性部１００は、ミシン目によって区画される領域によって形成されるものが好ましい。
【００４５】
図２に示すように、マガジン本体１０Ｂは第１開口１０Ａを上方に向けた状態で有底筒状をなす。このような第１開口１０Ａが上方に向く状態を基準として、本実施形態では、マガジン本体１０Ｂにおいて第１開口１０Ａに対向して位置する上面視において矩形形状の床部を底床部１０Ｅと呼び、底床部１０Ｅから立ち上がり、その先端に第１開口１０Ａを含む壁部を側壁部１０Ｆと呼ぶものとする。また、正面側の側壁部１０Ｆ、背面側の側壁部１０Ｆ、左側面側の側壁部１０Ｆ及び右側面側の側壁部１０Ｆを、それぞれ、正面側壁部１０ＦＦ、背面側壁部１０ＦＢ、左側壁部１０ＦＬ及び右側壁部１０ＦＲと呼ぶものとする。また、側壁部１０Ｆを側壁体と呼び、その側壁体を構成する正面側壁部１０ＦＦ、背面側壁部１０ＦＢ、左側壁部１０ＦＬ及び右側壁部１０ＦＲのそれぞれを側壁と呼ぶこともある。以下においては、本実施形態におけるカードマガジン１０の構成について更に詳述する。
【００４６】
カードマガジン１０の側壁部１０Ｆは横断面視で長方形状に形成され、側壁部１０Ｆの先端部分が形成する第１開口１０Ａの周縁は、一対の長辺部と、一対の長辺部の両端部を連結する一対の短辺部とで構成される。カード１も長方形状であり、カードマガジン１０内に収納される際には、その長手方向をマガジン本体１０Ｂにおける側壁部１０Ｆの長手方向に沿わせた状態で収納される。
【００４７】
本実施形態では、第１開口１０Ａの周縁の一対の短辺部のうちの一方に、易開封性部１００が設けられている。また、一対の長辺部のうちの一方に、フラップ１０Ｃが接続され、他方に、フラップ１０Ｄが接続されている。つまり、本実施形態のカードマガジン１０は、左側壁部１０ＦＬの上端部に接続されたフラップ１０Ｄと、右側壁部１０ＦＲの上端部に接続されたフラップ１０Ｃと、を有している。
【００４８】
また、本実施形態では、フラップ１０Ｃのうちの第１開口１０Ａの周縁に近接した部分に挿入孔１０ＣＡが設けられるとともに、フラップ１０Ｄのうちの第１開口１０Ａの周縁に近接した部分に挿入孔１０ＤＡが設けられている。挿入孔１０ＣＡ，１０ＤＡの形状は特に限られるものではないが、本実施形態では、挿入孔１０ＣＡ，１０ＤＡがそれぞれ、第１開口１０Ａの長辺部に沿って延びるスリット状に形成されている。これら挿入孔１０ＣＡ，１０ＤＡには、後述の図５に示すように、マガジンホルダ２１に設けられた後述の突起２１Ｃ，２１Ｄが挿入される。なお、カードマガジン１０の落下時等における挿入孔１０ＣＡ，１０ＤＡを起点した破損を抑制するために、挿入孔１０ＣＡ，１０ＤＡの長手方向（つまり、Ｙ方向）の長さは、２０ｍｍ以下とすることが好ましく、マガジンホルダ２１に設ける突起２１Ｃ，２１Ｄの形状の安全性や強度及び突起２１Ｃ，２１Ｄとのクリアランスを考慮すると、長手方向（つまり、Ｙ方向）の長さは５ｍｍ以上とすることが好ましい。また挿入孔１０ＣＡ，１０ＤＡの長手方向に直交する方向での長さは２ｍｍ以上４ｍｍ以下が好ましい。
【００４９】
前述のとおり、本実施形態のカードマガジン１０は、フラップ１０Ｃ，１０Ｄを有しているが、本発明のカードマガジン１０は、フラップ１０Ｃ，１０Ｄを有していないものであってもよい。フラップ１０Ｃ，１０Ｄを有していないカードマガジン１０は、挿入孔１０ＣＡ，１０ＤＡも有していないものとなる。
【００５０】
図３は、本実施形態のマガジンホルダ２１の正面側の斜視図である。図４は、本実施形態のマガジンホルダ２１の背面側の斜視図である。図５は、本実施形態のカードマガジン１０を収納するマガジンホルダ２１の背面側の斜視図である。
【００５１】
マガジンホルダ２１は、上面視において矩形形状を有する有底筒状、つまり、四角筒状、のホルダ本体２１Ｂと、ホルダ本体２１Ｂの上方に設けられた第２開口２１Ａと、背面側の側壁部に設けられた第２スリット２１０Ａと、突起２１Ｃ，２１Ｄと、カードマガジン１０のフラップ１０Ｃ，１０Ｄを保持するフラップ保持部８０と、を有する。
【００５２】
マガジンホルダ２１は、その上方に開口した第２開口２１Ａを設けられており、第２開口２１Ａを通してカードマガジン１０を収納することが可能となっている。マガジンホルダ２１がカードマガジン１０を収納した状態では、第２開口２１Ａが、上方に開口してカードマガジン１０の第１開口１０Ａを外部に露出させるようになっている。また、マガジンホルダ２１は、カードマガジン１０を収納した状態で第１スリット１００Ａ又は易開封性部１００に対向し、背面側に開口して且つ上下方向に延びる第２スリット２１０Ａが設けられており、第２スリット２１０Ａは第２開口２１Ａから下方に長尺状に延びている。
【００５３】
易開封性部１００が取り外されていないカードマガジン１０をマガジンホルダ２１に収納した際に、本実施形態では、第２スリット２１０Ａを通して易開封性部１００を取り外すことが可能になっている。ここで、第２スリット２１０Ａの上下方向の長さは、第１スリット１００Ａの上下方向の長さ以上でマガジン本体１０Ｂの第１スリット１００Ａが設けられた面の上下方向の長さ以下になっており、第２スリット２１０Ａの左右方向の長さは、第１スリット１００Ａの左右方向の長さ以上でマガジン本体１０Ｂの第１スリット１００Ａが設けられた面の左右方向の長さ以下になっている。つまり、カードマガジン１０がマガジンホルダ２１に挿入されたとき、背面視において、第１スリット１００Ａが第２スリット２１０Ａの内側の領域に含まれるようになっている。
【００５４】
なお、マガジン本体１０Ｂの第１スリット１００Ａが設けられた面の長さとは、当該面と対面した状態で当該面を見た際に、上下方向における当該面の端部間の寸法であり、マガジン本体１０Ｂの第１スリット１００Ａが設けられた面の左右方向の長さとは、左右方向における当該面の端部間の寸法である。
【００５５】
これにより、作業員は、自身の手を第２スリット２１０Ａに通して、易開封性部１００を容易に取り外すことができる。また、カードマガジン１０をマガジンホルダ２１に収納した後に易開封性部１００を取り外すことから、カードマガジン１０内のカード１に汚れや傷がつくことを効果的に抑制できる。
【００５６】
マガジンホルダ２１は、上述の第２開口２１Ａを含むホルダ本体２１Ｂと、第２開口２１Ａの周縁から突出し、カードマガジン１０がホルダ２１に収納された際にカードマガジン１０の挿入孔１０ＣＡ，１０ＤＡに挿入される上述した一対の突起２１Ｃ，２１Ｄと、を有している。
【００５７】
マガジンホルダ２１もカードマガジン１０を収納する前の状態において第２開口２１Ａを上方に向けた状態で使用され得る。この際、マガジンホルダ２１のホルダ本体２１Ｂも有底筒状をなす。したがって、マガジンホルダ２１に関しても第２開口２１Ａが上方に向く状態を基準として、ホルダ本体２１Ｂにおいて第２開口２１Ａに対向して位置する上面視において矩形形状の床部を底床部２１Ｅと呼び、底床部２１Ｅから立ち上がり、その先端に第２開口２１Ａを有する壁部を側壁部２１Ｆと呼ぶものとする。また、正面側の側壁部２１Ｆ、背面側の側壁部２１Ｆ、左側面側の側壁部２１Ｆ及び右側面側の側壁部２１Ｆを、それぞれ、正面側壁部２１ＦＦ、背面側壁部２１ＦＢ、左側壁部２１ＦＬ及び右側壁部２１ＦＲと呼ぶものとする。また、側壁部１０Ｆを側壁体と呼び、その側壁体を構成する正面側壁部１０ＦＦ、背面側壁部１０ＦＢ、左側壁部１０ＦＬ及び右側壁部１０ＦＲのそれぞれを側壁と呼ぶこともある。
【００５８】
マガジンホルダ２１の側壁部２１Ｆは、横断面視でカードマガジン１０の側壁部１０Ｆより一回り大きい長方形状に形成され、側壁部２１Ｆの先端部分が形成する第２開口２１Ａの周縁も、一対の長辺部と、一対の長辺部の両端部を連結する一対の短辺部とで構成される。ここで、本実施形態では、第１スリット１００Ａ又は易開封性部１００が第２スリット２１０Ａに対向する状態でカードマガジン１０がマガジンホルダ２１に収納される状態が正規の収納向きとなる。しかし、マガジンホルダ２１に対しては、正規の向きとは反対の向きでもカードマガジン１０を収納することができ、その結果、本実施形態では誤装填の問題が生じ得る。
【００５９】
そこで、本実施形態では、図３から図５に示すように、上述した一対の突起２１Ｃ，２１Ｄが、第２開口２１Ａの中心から外れた位置を挟んで対向するように設けられている。すなわち、本実施の形態では、一対の突起２１Ｃ，２１Ｄのうちの一方が第２開口２１Ａの周縁における一対の長辺部のうちの一方に設けられ、一対の突起２１Ｃ，２１Ｄのうちの他方が一対の長辺部のうちの他方に設けられる。図示された例では、マガジンホルダ２１の左側壁部２１ＦＬ及び右側壁部２１ＦＲの上端部に突起２１Ｃ，２１Ｄが設けられている。そして各突起２１Ｃ，２１Ｄは、対応する長辺部の中点から同じ側に偏倚した位置（図示された例では、背面側方向に偏倚した位置）に設けられている。そしてカードマガジン１０における一対の挿入孔１０ＣＡ，１０ＤＡは、カードマガジン１０がマガジンホルダ２１に正規の収納向きで収納された際に、一対の突起２１Ｃ，２１Ｄが挿入可能となる位置に設けられている。
【００６０】
以上のような突起２１Ｃ，２１Ｄの構成により、本実施形態では誤装填の問題が抑制され得るとともに、突起２１Ｃ，２１Ｄを挿入孔１０ＣＡ，１０ＤＡに挿入することにより、カードマガジン１０をマガジンホルダ２１において安定的に保持できる。これにより、マガジンホルダ２１内のカードマガジン１０のずれが抑制されるため、後述するカード移送機構３０やカード移送機構３０で移送中のカード１がカードマガジン１０に接触することを抑制できる。
【００６１】
また、本実施形態におけるマガジンホルダ２１のホルダ本体２１Ｂは、カードマガジン１０をマガジンホルダ２１に収納した状態でフラップ１０Ｃ，１０Ｄが折り曲げられて第１開口１０Ａを開口させた際に、フラップ１０Ｃ，１０Ｄが第１開口１０Ａを覆う位置まで移動しないように、フラップ１０Ｃ，１０Ｄを、マガジンホルダ２１の左側壁部２１ＦＬ及び右側壁部２１ＦＲの外壁面に沿う状態で、保持するフラップ保持部８０を有する。
【００６２】
フラップ保持部８０によってフラップ１０Ｃ，１０Ｄがマガジンホルダ２１の左側壁部２１ＦＬ及び右側壁部２１ＦＲの外壁面に沿う状態で保持されるため、カードマガジン１０のフラップ１０Ｃ，１０Ｄと左側壁部１０ＦＬ又は右側壁部１０ＦＲと接続部も直線状になるように保持されることになり、その結果、マガジンホルダ２１に収納されたカードマガジン１０の撓みが抑制される。さらに、フラップ保持部８０によってフラップ１０Ｃ，１０Ｄが保持されることによって、後述するカード移送機構３０やカード移送機構３０で移送中のカードがフラップに接触することを抑制できる。さらに、フラップ保持部８０によってフラップ１０Ｃ，１０Ｄが保持されることによって、カードマガジン１０の占有スペースを抑制できる。
【００６３】
前述のとおり、本発明のカードマガジン１０は、フラップ１０Ｃ，１０Ｄを有していないものであってもよい。フラップ１０Ｃ，１０Ｄを有していないカードマガジン１０を収納するマガジンホルダ２１は、突起２１Ｃ，２１Ｄ及びフラップ保持部８０を有さずに、カードマガジン１０の側壁部１０Ｆの上端部とマガジンホルダ２１の側壁部２１Ｆの上端部とを重ね合わせた状態で挟持するマガジン挟持部９０を有するものとすることが考えられる。このマガジン挟持部９０により、マガジンホルダ２１に収納されたカードマガジン１０の撓みが抑制される。
【００６４】
フラップ保持部８０は、カードマガジン１０の一部を構成するフラップ１０Ｃ，１０Ｄをマガジンホルダ２１の左側壁部２１ＦＬ及び右側壁部２１ＦＲの外壁面に沿う状態で保持することにより、カードマガジン１０を抑える。また、マガジン挟持部９０は、カードマガジン１０の側壁部１０Ｆの上端部とマガジンホルダ２１の側壁部２１Ｆの上端部とを重ね合わせた状態で挟持することにより、カードマガジン１０を抑える。このように、フラップ保持部８０とマガジン挟持部９０とは、ともに、カードマガジン１０を抑えるものである。つまり、本発明のマガジンホルダ２１は、マガジンホルダ２１の側壁部２１Ｆの上端部付近に、カードマガジンを抑えるマガジン抑え部８０，９０を有している。このマガジン抑え部８０，９０を構成するフラップ保持部８０及びマガジン挟持部９０の具体的構成については後述する。
【００６５】
また、マガジンホルダ２１は、ホルダ本体２１Ｂの下端部に、ホルダ載置台２２に挿入される挿入部２１Ｇを有する。本実施形態では、この挿入部２１Ｇがホルダ載置台２２に上方から着脱自在に取り付けられることで、マガジンホルダ２１がカードプリンタ５０に装着されるようになっている。
【００６６】
続いて、本実施形態のカード移送機構３０について説明する。
【００６７】
図６は、本実施形態のカード供給装置４０を概略的に示す正面図である。図７Ａ及び図７Ｂは、本実施形態のカード供給装置４０を概略的に示す縦断面図であり、図６のＡ−Ａ断面を示すものである。
【００６８】
カード移送機構３０は、複数のカード収納装置２０のうちの１つを選択し、そのカード収納装置２０のマガジンホルダ２１の外部から第２スリット２１０Ａ及び第１スリット１００Ａを通してカードマガジン１０の内部まで延び、カード１を保持しつつ上方に移動することにより、保持したカード１を第１開口１０Ａ及び第２開口２１Ａから取り出して、その後、カード搬送部５３に移送する。
【００６９】
カード移送機構３０は特に限られるものではないが、本実施形態におけるカード移送機構３０は、一例として、カードマガジン１０内の最上面のカード１を吸着によって保持する保持吸着部３０Ａと、保持吸着部３０Ａを上下方向及び横方向に移動させる移動ステージ３０Ｂと、を有している。
【００７０】
図６、図７Ａ及び図７Ｂに示すように、移動ステージ３０Ｂは、板面が上下方向に平行となるようにカードプリンタ５０のフレーム又は筐体等に固定されるベースプレート３０１と、ベースプレート３０１上に固定され、横方向に延びる横方向レール３０２と、横方向レール３０２に移動自在に支持され、上下方向に延びる上下方向レール３０３と、上下方向レール３０３に移動自在に支持されたスライダ３０４とを有している。本実施形態では、移動ステージ３０Ｂがカードプリンタ５０の一部に支持されることになるが、カードプリンタ５０とは別の部分に支持されてもよい。
【００７１】
一方で、保持吸着部３０Ａは、スライダ３０４に支持されて且つ横方向レール３０２が延びる方向及び上下方向レール３０３が延びる方向の両方に直交する方向に延びるアーム３０５と、アーム３０５の先端部に固定されたサポート板３０６と、下方に吸着面を向けた状態でサポート板３０６に支持された吸着部３０７と、を有している。この構成により、吸着部３０７は、上下方向及び水平方向に移動可能となっている。吸着部３０７は、例えば、吸盤により構成される。
【００７２】
このようなカード移送機構３０は、上下方向レール３０３を横方向レール３０２上で横方向に移動させることにより、図７Ａに示すように、保持吸着部３０Ａのアーム３０５が第１スリット１００Ａ及び第２スリット２１０Ａの上方に位置し、且つ、サポート板３０６及び吸着部３０７が、選択されたカード収納装置２０のカードマガジン１０の第１開口１０Ａの上方に位置する状態となるように、保持吸着部３０Ａを移動させる。その後、図７Ｂに示すように、スライダ３０４を上下方向レール３０３上で下方に移動させることにより、カードマガジン１０内の最上面のカード１を吸着部３０７で保持できる。ここで、吸着部３０７によって吸着されるカード１の面は印刷を施されない面であるため、印刷不良の発生が抑制される。
【００７３】
その後、スライダ３０４を上下方向レール３０３上で上方に移動させることにより、保持吸着部３０Ａで保持したカード１を第１開口１０Ａ及び第２開口２１Ａから取り出すことができる。そして、図６に示すように、上下方向レール３０３を横方向レール３０２上で横方向に移動させることにより、保持吸着部３０Ａで保持したカード１をカード搬送部５３に移送することができる。
【００７４】
このように、本実施形態のカード供給装置４０及びカード移送機構３０を有するカード供給装置４０は、カード収納装置２０の外部からマガジンホルダ２１の第２スリット２１０Ａ及びカードマガジン１０の第１スリット１００Ａまで延び、カードマガジン１０に収納されたカード１を保持しつつ上方に移動することにより、保持したカード１をカードマガジン１０から取り出すことができる。そのため、カード移送機構３０を上下方向に大型化することなく、カード１を適正にカードプリンタ５０へ移送できる。したがって、カードプリンタ５０に対しカード１を容易にセットでき、且つ、大型化を抑制しながらカード１をカードプリンタ５０に供給することが可能となる。
【００７５】
また、図７Ａ及び図７Ｂに示される符号３１は、光学センサを示している。光学センサ３１は保持吸着部３０Ａに配置されており、受光するカード１の表面からの光と、カード１が無くなった場合に受光する光との相違から、カード１の有無を検出する。本実施形態では、カードマガジン１０の内部にカード１とは異なる態様で光を乱反射又は吸収する底材１５が設けられ、底材１５の表面反射率はカード１の表面反射率と異なっている。底材１５上にカード１が積層されている。光学センサ３１は、本例では赤外線センサであるが、特に限られるものではない。この底材１５により、光学センサ３１によってカード１の有無を検出する際の検出精度を向上させることができる。
【００７６】
底材１５は、赤外線吸収剤を有するものとすることによりカード１とは異なる態様で光を吸収するようになっていてもよいし、表面粗さをカード１よりも大きくすることによりカード１とは異なる態様で光を乱反射させるようになっていてもよい。また、本実施形態では、カード１の印刷を施される面が下を、すなわち底材１５側を向くが、底材１５があることでカードマガジン１０の底床部１０Ｅとカード１との接触による傷の発生を抑制できる。プラスチック製のカードマガジン１０は一般に、４つのフラップを折り込んで底床部１０Ｅが形成されるが、この場合、凹凸が生じる。このような凹凸とカード１との接触が底材１５によって回避されるため、カード１に傷が発生することを抑制できる。
【００７７】
次に、本実施形態のマガジンホルダ２１のフラップ保持部８０について説明する。
【００７８】
図８Ａ、図８Ｂ及び図８Ｃは、本実施形態のフラップ保持部８０を有するマガジンホルダ２１の斜視図である。図９は、本実施形態のフラップ保持部８０を有するマガジンホルダ２１の上面図であり、図８Ｃの状態を示すものである。
【００７９】
本実施形態のフラップ保持部８０は、マガジンホルダ２１の左側壁部２１ＦＬ、右側壁部２１ＦＲ及び正面側壁部２１ＦＦの上端部付近の外壁面を覆う状態となることのできる板状の回動保持枠８１を有している。回動保持枠８１は、上面視においてＵ字型の形状である。
【００８０】
より具体的には、回動保持枠８１は、マガジンホルダ２１の左側壁部２１ＦＬと対向できるように配置された左部材８１Ｌと、左部材８１Ｌの正面側端部（左部材８１Ｌが左側壁部２１ＦＬと対向して配置された状態において観察した正面側端部をいう。以下同じ。）と接続し、マガジンホルダ２１の正面側壁部２１ＦＦと対向できるように配置された正面部材８１Ｆと、正面部材８１Ｆの右端部と接続し、マガジンホルダ２１の右側壁部２１ＦＲと対向できるように配置された右部材８１Ｒと、を有している。正面部材８１Ｆは、左部材８１Ｌと右部材８１Ｒとを連結する連結部材となっている。また、図示された例では、左部材８１Ｌ、右部材８１Ｒ及び正面部材８１Ｆは一体的に形成されている。
【００８１】
回動保持枠８１は、その両端部に、つまり、左部材８１Ｌ及び右部材８１Ｒの背面側端部に、左側壁部２１ＦＬ及び右側壁部２１ＦＲのそれぞれの背面側端部からわずかに背面側に離れた位置に固定された回動軸部８１ａを有している。回動軸部８１ａは、図９に示すように、マガジンホルダ２１の左側壁部２１ＦＬ及び右側壁部２１ＦＲのそれぞれの背面側端部からわずかに背面側に離れた位置に回動軸部８１ａを固定できるように形成された回動軸固定部８１ｂに固定されている。回動軸部８１ａは、背面側壁部２１ＦＢの外壁面に平行且つ水平方向方向（つまり、Ｘ方向）に延びる回動軸を有している。回動保持枠８１は、この回動軸部８１ａを中心として回動することができるようになっている。
【００８２】
つまり、回動保持枠８１は、図８Ａに示す、マガジンホルダ２１の背面側にある状態から、図８Ｂに示すように、回動軸部８１ａを中心として回動することにより、図８Ｃに示す、マガジンホルダ２１の左側壁部２１ＦＬ、右側壁部２１ＦＲ及び正面側壁部２１ＦＦの上端部付近の外壁面を覆う状態となることができる。
【００８３】
また、回動保持枠８１は、マガジンホルダ２１の左側壁部２１ＦＬ、右側壁部２１ＦＲ及び正面側壁部２１ＦＦの上端部付近の外壁面を覆う状態において、マガジンホルダ２１の左側壁部２１ＦＬ及び右側壁部２１ＦＲの外壁面と、回動保持枠８１のマガジンホルダ２１の左側壁部２１ＦＬ及び右側壁部２１ＦＲに対向する板面と、の間に空間８１ｓが存在することになるように配置されている。この空間８１ｓは、マガジンホルダ２１の左側壁部２１ＦＬ及び右側壁部２１ＦＲの外壁面に沿う状態に折り曲げられたカードマガジン１０のフラップ１０Ｃ，１０Ｄの一部が収容される収容空間となる。
【００８４】
また、回動保持枠８１は、その正面部材８１Ｃに、マガジンホルダ２１の左側壁部２１ＦＬ、右側壁部２１ＦＲ及び正面側壁部２１ＦＦの上端部付近の外壁面を覆う状態において、マガジンホルダ２１の正面側壁部２１ＦＦに当接する突出部である当接突出部８１ｃを有している。この当接突出部８１ｃにより、回動保持枠８１がマガジンホルダ２１の左側壁部２１ＦＬ、右側壁部２１ＦＲ及び正面側壁部２１ＦＦの上端部付近の外壁面を覆う状態における回動保持枠８１の配置がより安定的になる。図示された例では、当接突出部８１ｃは、回動保持枠８１を構成する板材を折り曲げることにより形成されている。
【００８５】
回動保持枠８１の材料は、特に限定されないが、フラップ１０Ｃ，１０Ｄを安定的に保持するために、ある程度の重量を有することが好ましい。そのため、回動保持枠８１の材料は、鋼又はステンレスなどの金属であることが好ましい。
【００８６】
マガジンホルダ２１にカードマガジン１０を装着するときは、まず、図８Ａに示す状態のマガジンホルダ２１にカードマガジン１０を挿入する。次に、カードマガジン１０のフラップ１０Ｃ，１０Ｄをマガジンホルダ２１の左側壁部２１ＦＬ及び右側壁部２１ＦＲの外壁面に沿う状態になるように折り曲げる。次に、図８Ｂ及び図８Ｃに示すように、マガジンホルダ２１の回動保持枠８１を回動させて、回動保持枠８１を、マガジンホルダ２１の左側壁部２１ＦＬ、右側壁部２１ＦＲ及び正面側壁部２１ＦＦの上端部付近の外壁面を覆う状態とする。このとき、マガジンホルダ２１の左側壁部２１ＦＬ及び右側壁部２１ＦＲの外壁面と、回動保持枠８１のマガジンホルダ２１の左側壁部２１ＦＬ及び右側壁部２１ＦＲに対向する板面と、の間の空間８１ｓに、カードマガジン１０のフラップ１０Ｃ，１０Ｄの一部が収納される。これにより、カードマガジン１０のフラップ１０Ｃ，１０Ｄがマガジンホルダ２１の側壁部の外壁面に沿う状態で保持される。
【００８７】
図１０Ａ及び図１０Ｂは、第１変形例のフラップ保持部８０を有するマガジンホルダ２１の斜視図である。図１１は、第１変形例のフラップ保持部８０を有するマガジンホルダ２１の上面図であり、図１０Ｂの状態を示すものである。
【００８８】
第１変形例のフラップ保持部８０は、マガジンホルダ２１の左側壁部２１ＦＬの上端部付近の外壁面を覆うことのできる板状の開閉保持板８２Ｌと、マガジンホルダ２１の右側壁部２１ＦＲの上端部付近の外壁面を覆う状態となることのできる板状の開閉保持板８２Ｒと、を有している。開閉保持板８２Ｌ，８２Ｒは、図示された例では、板面から垂直な方向からの観察において矩形形状の板状部材である。
【００８９】
開閉保持板８２Ｌ，８２Ｒは、その一端に、左側壁部２１ＦＬ又は右側壁部２１ＦＲの背面側端部付近に固定された開閉軸部８２ａを有している。開閉軸部８２ａは、垂直方向（つまり、Ｚ方向）に延びる回動軸を有している。開閉保持板８２Ｌ，８２Ｒは、この開閉軸部８２ａの回動軸を中心として回動することができるようになっている。
【００９０】
つまり、開閉保持板８２Ｌ，８２Ｒは、図１０Ａに示す、マガジンホルダ２１の背面側にある状態から、開閉軸部８２ａの回動軸を中心として回動することにより、図１０Ｂに示す、マガジンホルダ２１の左側壁部２１ＦＬ及び右側壁部２１ＦＲの上端部付近の外壁面を覆う状態となることができる。
【００９１】
また、マガジンホルダ２１の左側壁部２１ＦＬ及び右側壁部２１ＦＲの正面側端部付近には、開閉保持板８２Ｌ，８２Ｒを吸着することのできる吸着突起部８２ｂが設けられている。吸着突起部８２ｂは、上下方向に長辺を有する長尺状の突起である。吸着突起部８２ｂが開閉保持板８２Ｌ，８２Ｒを吸着する方法は、特に限定されないが、図示された例では磁石が用いられている。具体的には、開閉保持板８２Ｌ，８２Ｒが金属で形成され、吸着突起部８２ｂは磁石を有している。
【００９２】
なお、吸着突起部８２ｂは、マガジンホルダ２１の左側壁部２１ＦＬ及び右側壁部２１ＦＲの正面側端部付近に設けることに替えて、開閉保持板８２Ｌ，８２Ｒの開閉軸部８２ａ側とは反対側の端部付近に設けて、その吸着突起部８２ｂがマガジンホルダ２１の側壁部２１Ｆに吸着するようにしてもよい。
【００９３】
また、開閉保持板８２Ｌ，８２Ｒは、マガジンホルダ２１の左側壁部２１ＦＬ及び右側壁部２１ＦＲの上端部付近の外壁面を覆う状態において、マガジンホルダ２１の左側壁部２１ＦＬ及び右側壁部２１ＦＲの外壁面と、開閉保持板８２Ｌ，８２Ｒのマガジンホルダ２１の左側壁部２１ＦＬ及び右側壁部２１ＦＲに対向する板面と、の間に空間８２ｓが存在することになるように配置されている。この空間は、マガジンホルダ２１の左側壁部２１ＦＬ及び右側壁部２１ＦＲの外壁面に沿う状態に折り曲げられたカードマガジン１０のフラップ１０Ｃ，１０Ｄの一部が収容される収容空間となる。
【００９４】
また、開閉保持板８２Ｌ，８２Ｒは、開閉保持板８２Ｌ，８２Ｒの開閉軸部８２ａ側とは反対側の端部付近を吸着突起部８２ｂから離れる方向に折り曲げた折曲部８２ｃを有している。この折曲部８２ｃにより、開閉保持板８２Ｌ，８２Ｒの開閉の作業がしやすくなっている。
【００９５】
開閉保持板８２Ｌ，８２Ｒの材料は、特に限定されないが、フラップ１０Ｃ，１０Ｄを安定的に保持するために、ある程度の重量を有することが好ましい。また、吸着突起部８２ｂの吸着の方法としては、磁石を用いることが簡易である。そのため、開閉保持板８２Ｌ，８２Ｒの材料は、全体又は一部が鋼であることが好ましい。
【００９６】
マガジンホルダ２１にカードマガジン１０を装着するときは、まず、図１０Ａに示す状態のマガジンホルダ２１にカードマガジン１０を挿入する。次に、カードマガジン１０のフラップ１０Ｃ，１０Ｄをマガジンホルダ２１の左側壁部２１ＦＬ及び右側壁部２１ＦＲの外壁面に沿う状態になるように折り曲げる。次に、図１０Ｂに示すように、マガジンホルダ２１の開閉保持板８２Ｌ，８２Ｒを回動させて、マガジンホルダ２１の左側壁部２１ＦＬ及び右側壁部２１ＦＲの吸着突起部８２ｂに吸着させ、開閉保持板８２Ｌ，８２Ｒを、マガジンホルダ２１の左側壁部２１ＦＬ及び右側壁部２１ＦＲの上端部付近の外壁面を覆う状態とする。このとき、マガジンホルダ２１の左側壁部２１ＦＬ及び右側壁部２１ＦＲの外壁面と、開閉保持板８２Ｌ，８２Ｒのマガジンホルダ２１の左側壁部２１ＦＬ及び右側壁部２１ＦＲに対向する板面と、の間の空間８２ｓに、カードマガジン１０のフラップ１０Ｃ，１０Ｄの一部が収納される。これにより、カードマガジン１０のフラップ１０Ｃ，１０Ｄがマガジンホルダ２１の左側壁部２１ＦＬ及び右側壁部２１ＦＲの外壁面に沿う状態で保持される。
【００９７】
なお、第１変形例の開閉保持板８２Ｌ，８２Ｒは、マガジンホルダ２１の左側壁部２１ＦＬ及び右側壁部２１ＦＲの背面側端部付近に固定された回動軸部８２ａを有しているが、本発明の開閉保持板８２Ｌ，８２Ｒは、マガジンホルダの左側壁部２１ＦＬ及び右側壁部２１ＦＲの正面側端部付近に固定された回動軸部８２ａを有していてもよい。
【００９８】
図１２Ａ及び図１２Ｂは、第２変形例のフラップ保持部８０を有するマガジンホルダ２１の斜視図である。図１３は、第２変形例のフラップ保持部８０を有するマガジンホルダ２１の上面図であり、図１２Ｂの状態を示すものである。
【００９９】
第２変形例のフラップ保持部８０は、マガジンホルダ２１の左側壁部２１ＦＬ、右側壁部２１ＦＲ及び正面側壁部２１ＦＦの上端部付近の外壁面を覆う状態となることのできる板状のスライド保持枠８３を有している。スライド保持枠８３は、上面視においてＵ字型の形状である。
【０１００】
より具体的には、スライド保持枠８３は、マガジンホルダ２１の左側壁部２１ＦＬと対向して配置された左部材８３Ｌと、左部材８３Ｌの正面側端部と接続し、マガジンホルダ２１の正面側壁部２１ＦＦと対向して配置された正面部材８３Ｆと、正面部材８３Ｆの右端部と接続し、マガジンホルダ２１の右側壁部２１ＦＲと対向して配置された右部材８３Ｒと、を有している。正面部材８２Ｆは、左部材８２Ｌと右部材８２Ｒとを連結する連結部材となっている。また、図示された例では、左部材８２Ｌ、右部材８２Ｒ及び正面部材８２Ｆは、一体的に形成されている。
【０１０１】
スライド保持枠８３は、左部材８３Ｌ及び右部材８３Ｒのそれぞれに、正面側から背面側の方向（つまり、Ｙ方向）に長辺を有する長尺状の孔であるガイド孔部８３ａを有している。マガジンホルダ２１の正面側壁部２１ＦＦの上端部付近の外壁面には、左右方向に長辺を有する長尺状のガイド突起部８３ｂが配置されている。
【０１０２】
ガイド突起部８３ｂの左端部は、マガジンホルダ２１の左側壁部２１ＦＬの外壁面よりも左側に突出している。同様に、ガイド突起部８３ｂの右端部は、マガジンホルダ２１の右側壁部２１ＦＲの外壁面よりも右側に突出している。そして、このガイド突起部８３ｂのマガジンホルダ２１の左側壁部２１ＦＬ及び右側壁部２１ＦＲの外壁面よりも突出している部分が、それぞれ、スライド保持枠８３の左部材８３Ｌ及び右部材８３Ｒのガイド孔部８３ａに挿入されることにより収容されている。
【０１０３】
このガイド孔部８３ａ及びガイド突起部８３ｂにより、スライド保持枠８３は、正面側から背面側の方向にスライドして移動することができるようになっている。また、ガイド突起部８３ｂは、正面側から背面側の方向の長さがガイド孔部８３ａの上下方向の長さよりも大きく設定されている。これにより、スライド保持枠８３がガイド突起部８３ｂを軸として回動することが防止され、姿勢を保ったまま水平移動することができるようになっている。
【０１０４】
つまり、スライド保持枠８３は、図１２Ａに示す、マガジンホルダ２１の左側壁部２１ＦＬ又は右側壁部２１ＦＲの上端部付近の外壁面から退避している状態から、スライド保持枠８３をスライドして移動させることにより、図１２Ｂに示す、マガジンホルダ２１の左側壁部２１ＦＬ及び右側壁部２１ＦＲの上端部付近の外壁面を覆う状態となることができる。
【０１０５】
また、スライド保持枠８３は、マガジンホルダ２１の左側壁部２１ＦＬ及び右側壁部２１ＦＲの上端部付近の外壁面を覆う状態において、マガジンホルダ２１の左側壁部２１ＦＬ及び右側壁部２１ＦＲの外壁面と、スライド保持枠８３の左部材８３Ｌ及び右部材８３Ｒのマガジンホルダ２１の左側壁部２１ＦＬ及び右側壁部２１ＦＲに対向する板面と、の間に空間８２ｓが存在することになるように配置されている。この空間は、マガジンホルダ２１の左側壁部２１ＦＬ及び右側壁部２１ＦＲの外壁面に沿う状態に折り曲げられたカードマガジン１０のフラップ１０Ｃ，１０Ｄの一部が収容される収容空間となる。
【０１０６】
スライド保持枠８３の材料は、特に限定されないが、フラップ１０Ｃ，１０Ｄを安定的に保持するために、ある程度の重量を有することが好ましい。そのため、開閉保持板８２Ｌ，８２Ｒの材料は、鋼又はステンレスなどの金属であることが好ましい。
【０１０７】
マガジンホルダ２１にカードマガジン１０を装着するときは、まず、図１２Ａに示す状態のマガジンホルダ２１にカードマガジン１０を挿入する。次に、カードマガジン１０のフラップ１０Ｃ，１０Ｄをマガジンホルダ２１の左側壁部２１ＦＬ及び右側壁部２１ＦＲの外壁面に沿う状態になるように折り曲げる。次に、図１２Ｂに示すように、マガジンホルダ２１のスライド保持枠を正面側から背面側に向かってスライドさせて、スライド保持枠８３の左部材８３Ｌ及び右部材８３Ｒを、マガジンホルダ２１の左側壁部２１ＦＬ及び右側壁部２１ＦＲの上端部付近の外壁面を覆う状態とする。このとき、マガジンホルダ２１の左側壁部２１ＦＬ及び右側壁部２１ＦＲの外壁面と、スライド保持枠８３の左部材８３Ｌ及び右部材８３Ｒのマガジンホルダ２１の左側壁部２１ＦＬ及び右側壁部２１ＦＲに対向する板面と、の間の空間８２ｓに、カードマガジン１０のフラップ１０Ｃ，１０Ｄの一部が収納される。これにより、カードマガジン１０のフラップ１０Ｃ，１０Ｄがマガジンホルダ２１の左側壁部２１ＦＬ及び右側壁部２１ＦＲの外壁面に沿う状態で保持される。
【０１０８】
なお、ガイド突起部８３ｂは、マガジンホルダ２１に着脱自在に固定されていてもよい。例えば、磁石を有するガイド突起部２３ｂを用いて、ガイド突起部８３ｂをマガジンホルダ２１から着脱自在のものとすることが考えられる。このような構成では、マガジンホルダ２１にカードマガジン１０を装着するときに、マガジンホルダ２１の外部からスライド保持枠８３をマガジンホルダ２１の上端部付近の外壁面にはめ込むことが可能となる。
【０１０９】
図１４Ａ及び図１４Ｂは、第３変形例のマガジン挟持部９０を有するマガジンホルダ２１の斜視図であり、カードマガジン１０が収納された状態を示すものである。図１５は、第３変形例のマガジン挟持部９０を有するマガジンホルダ２１の一部を示す縦断面図であり、図１４ＢのＢ−Ｂ断面を示している。
【０１１０】
第３変形例のマガジン挟持部９０を有するマガジンホルダ２１は、フラップ１０Ｃ，１０Ｄを有していないカードマガジン１０を収納するものである。そのため、第３変形例のマガジンホルダ２１は、左側壁部２１ＦＬ及び右側壁部２１ＦＲの上端部に突起２１Ｃ，２１Ｄを有さずに、カードマガジン１０の側壁部１０Ｆの上端部とマガジンホルダ２１の側壁部２１Ｆの上端部とを重ね合わせた状態で挟持するマガジン挟持部９０を有している。
【０１１１】
第３変形例のマガジン挟持部９０は、マガジンホルダ２１の側壁部２１Ｆの上端部を覆う状態となることのできる枠状の回動挟持枠９１を有している。回動挟持枠９１は、上面視において切取部を有する矩形形状であり、Ｌ字型の断面形状を有している。
【０１１２】
より具体的には、回動挟持枠９１は、背面側壁部２１ＦＢの上端部の第２スリット２１０Ａの左側の領域と対向できるように配置された背面左部材９１ＢＬと、背面左部材９１ＢＬの左端部と接続し、左側壁部２１ＦＬの上端部と対向できるように配置された左部材９１Ｌと、左部材９１Ｌの正面側端部（左部材９１Ｌが左側壁部２１ＦＬと対向して配置されたときの正面側端部をいう。以下同様。）と接続し、正面側壁部２１ＦＦの上端部と対向できるように配置された正面部材９１Ｆと、正面部材９１Ｆの右端部と接続し、右側壁部２１ＦＲの上端部と対向できるように配置された右部材９１Ｒと、右部材９１Ｒの背面側端部と接続し、マガジンホルダ２１の背面側壁部２１ＦＢの上端部の第２スリット２１０Ａの右側の領域と対向できるように配置された背面右部材９１ＢＲと、を有している。図示された例では、背面左部材９１ＢＬ、左部材９１Ｌ、正面部材９１Ｆ、右部材９１Ｒ及び背面右部材９１ＢＲは、一体的に形成されている。
【０１１３】
回動挟持枠９１は、背面左部材９１ＢＬ及び背面右部材９１ＢＲに、それぞれ、背面側壁部２１ＦＢの上端部の第２スリット２１０Ａの右側及び左側の領域に固定された回動軸部９１ａを有している。この回動軸部９１ａは、マガジンホルダ２１の背面側壁部の壁面に平行且つ水平方向（つまり、Ｘ方向）に延びる回動軸を有しており、回動挟持枠９１はその回動軸を中心として回動することができるようになっている。
【０１１４】
つまり、回動挟持枠９１は、図１４Ａに示す、マガジンホルダ２１の背面側にある状態から、回動軸部９１ａを中心として回動することにより、図１４Ｂに示す、マガジンホルダ２１の側壁部２１Ｆの上端部を覆う状態となることができる。
【０１１５】
また、回動挟持枠９１は、図１４Ａに示すように、外周壁部９１ｂと、当接面部９１ｃと、弾性壁部９１ｄと、を有する。
【０１１６】
外周壁部９１ｂは、回動挟持枠９１の外周壁を構成する壁部である。当接面部９１ｃは、回動挟持枠９１がマガジンホルダ２１の側壁部２１Ｆの上端部を覆う状態となったときに、マガジンホルダ２１の側壁部２１Ｆ又はカードマガジン１０の側壁部１０Ｆの上端部が当接する面部であり、外周壁部９１ｂの内側に配置されている。この当接面部９１ｃは、外周壁部９１ｂと弾性壁部９１ｄとの間に空間を有するようにするためのスペーサを兼ねている。
【０１１７】
弾性壁部９１ｄは、回動挟持枠９１がマガジンホルダ２１の側壁部２１Ｆの上端部及びカードマガジン１０の側壁部１０Ｆの上端部を挟持するときに、弾性変形をすることができる壁部であり、回動挟持枠９１の４つの角領域（つまり、背面左部材９１ＢＬと左部材９１Ｌとの接続部、左部材９１Ｌと正面部材９１Ｆとの接続部、正面部材９１Ｆと右部材９１Ｒとの接続部、及び、右部材９１Ｒと背面右部材９１ＢＲとの接続部）のそれぞれにおいて、当接面部９１ｃを挟んで外周壁部９１ｂの内壁面と対向して配置されている。
【０１１８】
回動挟持枠９１がマガジンホルダ２１の側壁部２１Ｆの上端部を覆う状態となったとき、図１５に示すように、マガジンホルダ２１の側壁部２１Ｆ及びカードマガジン１０の側壁部１０Ｆの上端部は、回動挟持枠９１の当接面部９１ｃに当接するともに、回動挟持枠９１の４つの角領域において、回動挟持枠９１の外周壁部９１ｂと弾性壁部９１ｄとの間の空間に収容されることになる。このとき、マガジンホルダ２１の側壁部２１Ｆは、弾性壁部９１ｄにより、カードマガジン１０の側壁部１０Ｆに抑えつけられることになる。このように、回動挟持枠９１は、カードマガジン１０の側壁部１０Ｆ及びマガジンホルダ２１の側壁部２１Ｆの上端部を重ね合わせた状態で挟持する。
【０１１９】
外周壁部９１ｂと当接面部９１ｃとは、図示された例では、一体的に形成されているが、別々の部材により構成されていてもよい。外周壁部９１ｂ及び当接面部９１ｃの材料は、特に限定されないが、マガジンホルダ２１の側壁部の上端部を安定的に保持するために、ある程度の重量を有することが好ましい。そのため、外周壁部９１ｂ及び当接面部９１ｃの材料は、鋼又はステンレスなどの金属であることが好ましい。弾性壁部９１ｄの材料は、特に限定されないが、例えば、ゴム又はシリコン樹脂などを挙げることができる。
【０１２０】
マガジンホルダ２１にカードマガジン１０を装着するときは、まず、図１４Ａに示す状態のマガジンホルダ２１にカードマガジン１０を挿入する。次に、図１４Ｂ及び図１５に示すように、マガジンホルダ２１の回動挟持枠９１を回動させて、回動挟持枠９１を、マガジンホルダ２１の側壁部２１Ｆの上端部を覆う状態とする。このとき、マガジンホルダ２１の側壁部２１Ｆ及びカードマガジン１０の側壁部１０Ｆの上端部は、回動挟持枠９１の当接面部９１ｃに当接するともに、回動挟持枠９１の４つの角領域において、回動挟持枠９１の外周壁部９１ｂと弾性壁部９１ｄとの間の空間に収容される。これにより、カードマガジン１０の側壁部１０Ｆの上端部は、マガジンホルダ２１の側壁部２１Ｆに抑えつけられて保持される。
【０１２１】
なお、第３変形例の回動挟持枠９１は、背面左部材９１ＢＬ及び背面右部材９１ＢＲに、それぞれ、背面側壁部２１ＦＢの上端部の第２スリット２１０Ａの右側及び左側の領域に固定された回動軸部９１ａを有しているが、本発明の回動挟持枠９１は、正面部材９１Ｆに正面側壁部２１ＦＦの上端部に固定された回動軸部を有していてもよい。ただし、回動挟持枠９１の安定性の観点から、回動挟持枠９１は、第３変形例のように、背面左部材９１ＢＬ及び背面右部材９１ＢＲに、それぞれ、背面側壁部２１ＦＢの上端部の第２スリット２１０Ａの右側及び左側の領域に固定された回動軸部９１ａを有していることが好ましい。
【０１２２】
図１６Ａ及び図１６Ｂは、第４変形例のマガジン挟持部９０を有するマガジンホルダ２１の斜視図であり、カードマガジン１０が収納された状態を示すものである。図１７は、第４変形例のマガジン挟持部９０を有するマガジンホルダ２１の一部を示す縦断面図であり、図１６ＢのＣ−Ｃ断面を示している。
【０１２３】
第４変形例のマガジン挟持部９０を有するマガジンホルダ２１も、第３変形例と同様、フラップ１０Ｃ，１０Ｄを有していないカードマガジン１０を収納するものであり、左側壁部２１ＦＬ及び右側壁部２１ＦＲの上端部に突起２１Ｃ，２１Ｄを有さずに、カードマガジン１０の側壁部１０Ｆの上端部とマガジンホルダ２１の側壁部２１Ｆの上端部とを重ね合わせた状態で挟持するマガジン挟持部９０を有している。
【０１２４】
第４変形例のマガジン挟持部９０は、マガジンホルダ２１の側壁部２１Ｆの上端部を覆う状態となることのできる枠状の分離型挟持枠９２を有している。分離型挟持枠９２は、上面視において切取部を有する矩形形状であり、逆Ｕ字型の断面形状を有しており、マガジンホルダ２１のホルダ本体２１Ｂから分離した部材として構成されている。
【０１２５】
より具体的には、分離型挟持枠９２は、背面側壁部２１ＦＢの上端部の第２スリット２１０Ａの左側の領域と対向できるように配置された背面左部材９２ＢＬと、背面左部材９２ＢＬの左端部と接続し、左側壁部２１ＦＬの上端部と対向できるように配置された左部材９２Ｌと、左部材９２Ｌの正面側端部（左部材９２Ｌが左側壁部２１ＦＬと対向して配置されたときの正面側端部をいう。以下同様。）と接続し、正面側壁部２１ＦＦの上端部と対向できるように配置された正面部材９２Ｆと、正面部材９２Ｆの右端部と接続し、右側壁部２１ＦＲの上端部と対向できるように配置された右部材９２Ｒと、右部材９２Ｒの背面側端部と接続し、背面側壁部２１ＦＢの上端部の第２スリット２１０Ａの右側の領域と対向できるように配置された背面右部材９２ＢＲと、を有している。図示された例では、背面左部材９２ＢＬ、左部材９２Ｌ、正面部材９２Ｆ、右部材９２Ｒ及び背面右部材９２ＢＲは、一体的に形成されている。
【０１２６】
つまり、分離型挟持枠９２は、図１６Ａに示す、マガジンホルダ２１の上方にある状態から、下方へ移動することにより、図１６Ｂに示す、マガジンホルダ２１の側壁部２１Ｆの上端部を覆う状態となることができる。
【０１２７】
また、分離型挟持枠９２は、図１７に示すように、外周壁部９２ｂと、当接面部９２ｃと、対向壁部９２ｄとを有している。外周壁部９２ｂは、分離型挟持枠９２の外周壁を構成する壁部である。当接面部９２ｃは、分離型挟持枠９２がマガジンホルダ２１の側壁部２１Ｆの上端部を覆う状態となったときに、マガジンホルダ２１の側壁部２１Ｆ又はカードマガジン１０の側壁部１０Ｆの上端部が当接する面部であり、外周壁部９１ｂの内側に配置されている。対向壁部９２ｄは、外周壁部９１ｂの内壁面と対向するように配置された壁部である。当接面部９２ｃは、外周壁部９２ｂと対向壁部９２ｄとの間に空間を有するようにするためのスペーサを兼ねている。
【０１２８】
図示された例では、外周壁部９２ｂと当接面部９２ｃと対向壁部とは、一体的に形成されており、分離型挟持枠９２がマガジンホルダ２１の側壁部２１Ｆの上端部及びカードマガジン１０の側壁部１０Ｆの上端部を挟持するときに、弾性変形をすることができるようになっている。
【０１２９】
分離型挟持枠９２がマガジンホルダ２１の側壁部２１Ｆの上端部を覆う状態となったとき、図１７に示すように、マガジンホルダ２１の側壁部２１Ｆ及びカードマガジン１０の側壁部１０Ｆの上端部は、分離型挟持枠９２の当接面部９２ｃに当接するともに、分離型挟持枠９２の外周壁部９２ｂと対向壁部９２ｄとの間の空間に収容されることになる。このとき、マガジンホルダ２１の側壁部２１Ｆは、対向壁部９２ｄにより、カードマガジン１０の側壁部１０Ｆに抑えつけられることになる。このように、分離型挟持枠９２は、カードマガジン１０の側壁部１０Ｆ及びマガジンホルダ２１の側壁部２１Ｆの上端部を重ね合わせた状態で挟持する。
【０１３０】
また、分離型挟持枠９２は、その対向壁部９２ｄに内側に向かうにつれて上昇する傾斜部９２ｅを有している。この傾斜部９２ｅにより、カード移送機構３０によって、カード１上方に移送されるとき、分離型挟持枠９２へのカード１の引っかかりが抑制される。
【０１３１】
外周壁部９２ｂ、当接面部９２ｃ及び対向壁部９２ｄは、図示された例では、一体的に形成されているが、別々の部材により構成されていてもよい。外周壁部９２ｂ、当接面部９２ｃ及び対向壁部９２ｄの材料は、特に限定されないが、マガジンホルダ２１の側壁部１０Ｆの上端部を安定的に保持するために、ある程度の弾性を有することが好ましい。外周壁部９２ｂ、当接面部９２ｃ及び対向壁部９２ｄの材料として、例えば、ゴム又はシリコン樹脂などが考えられる。
【０１３２】
マガジンホルダ２１にカードマガジン１０を装着するときは、まず、マガジンホルダ２１にカードマガジン１０を挿入する。次に、図１６Ａ、図１６Ｂ及び図１７に示すように、分離型挟持枠９２をマガジンホルダ２１の上方から下方に移動させて、分離型挟持枠９２を、マガジンホルダ２１の側壁部２１Ｆの上端部を覆う状態とする。このとき、マガジンホルダ２１の側壁部２１Ｆ及びカードマガジン１０の側壁部１０Ｆの上端部は、分離型挟持枠９２の当接面部９２ｃに当接するともに、分離型挟持枠９２の外周壁部９２ｂと対向壁部９２ｄとの間の空間に収容される。これにより、カードマガジン１０の側壁部１０Ｆの上端部は、マガジンホルダ２１の側壁部２１Ｆに抑えつけられて保持される。
【０１３３】
以上に説明したとおり、本実施形態のカードプリンタによれば、カードプリンタ５０に対しカード１を容易にセットでき、且つ、装置の大型化を抑制しながらカード１をカードプリンタ５０に供給することが可能となる。また、本実施形態のマガジンホルダ２１のマガジン抑え部によれば、マガジンホルダ２１に収納されたカードマガジン１０の撓みが抑制される。
【０１３４】
以上、本発明の実施の形態を説明したが、本発明は、上述の実施の形態に限られるものではなく、各実施の形態においては種々の変更を加えることができる。
【０１３５】
本実施形態のカードマガジン１０及びマガジンホルダ２１の本体は、上面視において矩形形状を有するものであるが、本発明のカードマガジン１０及びマガジンホルダ２１は、これに限定されず、上面視において四角形形状を有するものであってもよい。
【符号の説明】
【０１３６】
１  カード
１０  カードマガジン
１０Ａ  第１開口
１０Ｂ  マガジン本体
１０Ｃ  フラップ（蓋）（第２フラップ）
１０ＣＡ  挿入孔
１０Ｄ  フラップ（第１フラップ）
１０ＤＡ  挿入孔
１０Ｅ  底床部（第１底床部）
１０Ｆ  側壁部（第１側壁体）
１０ＦＦ  正面側壁部（第１側壁）
１０ＦＢ  背面側壁部（第１側壁）
１０ＦＬ  左側壁部（第１側壁）
１０ＦＲ  右側壁部（第１側壁）
１００  易開封性部
１００Ａ  第１スリット
１５  底材
２０  カード収納装置
２１  マガジンホルダ
２１Ａ  第２開口
２１Ｂ  ホルダ本体
２１Ｃ  突起
２１Ｄ  突起
２１Ｅ  底床部（第２底床部）
２１Ｆ  側壁部（第２側壁体）
２１ＦＦ  正面側壁部（第２側壁）
２１ＦＢ  背面側壁部（第２側壁）
２１ＦＬ  左側壁部（第２側壁）
２１ＦＲ  右側壁部（第２側壁）
２１Ｇ  挿入部
２１０Ａ  第２スリット
２２  ホルダ載置台
３０  カード移送機構
３０Ａ  保持吸着部
３０５  アーム
３０６  サポート板
３０７  吸着部
３０Ｂ  移動ステージ
３０１  ベースプレート
３０２  横方向レール
３０３  上下方向レール
３０４  スライダ
３１  光学センサ
４０  カード供給装置
５０  カードプリンタ
５３  カード搬送部
５４  カード反転装置
５５  情報印刷部
５５ａ  昇華印刷ユニット
５５ｂ  溶融印刷ユニット
５６  透明保護層付与部
８０，９０  マガジン抑え部
８０  フラップ保持部
８１  回動保持枠
８１Ｆ  正面部材（第１連結部材）
８１Ｌ  左部材（第１回動部材）
８１Ｒ  右部材（第２回動部材）
８１ａ  回動軸部
８１ｂ  回動軸固定部
８１ｃ  当接突出部
８１ｓ  空間
８２Ｌ，８２Ｒ  開閉保持板
８２ａ  開閉軸部
８２ｂ  吸着突起部
８２ｃ  折曲部
８２ｓ  空間
８３  スライド保持枠
８３Ｆ  正面部材（第２連結部材）
８３Ｌ  左部材（第１スライド枠）
８３Ｒ  右部材（第２スライド枠）
８３ａ  ガイド孔部
８３ｂ  ガイド突起部
８３ｓ  空間
９０  マガジン挟持部
９１  回動挟持枠
９１Ｆ    正面部材
９１ＢＬ  背面左部材
９１ＢＲ  背面右部材
９１Ｌ    左部材
９１Ｒ    右部材
９１ａ  回動軸部
９１ｂ  外周壁部
９１ｃ  当接面部（第１スペーサ）
９１ｄ  弾性壁部
９２  分離型挟持枠
９２Ｆ    正面部材
９２ＢＬ  背面左部材
９２ＢＲ  背面右部材
９２Ｌ    左部材
９２Ｒ    右部材
９２ｂ  外周壁部
９２ｃ  当接面部（第２スペーサ）
９２ｄ  対向壁部
【図１】
2020160601.tif 000003
【図２】
2020160601.tif 000004
【図３】
2020160601.tif 000005
【図４】
2020160601.tif 000006
【図５】
2020160601.tif 000007
【図６】
2020160601.tif 000008
【図７Ａ】
2020160601.tif 000009
【図７Ｂ】
2020160601.tif 000010
【図８Ａ】
2020160601.tif 000011
【図８Ｂ】
2020160601.tif 000012
【図８Ｃ】
2020160601.tif 000013
【図９】
2020160601.tif 000014
【図１０Ａ】
2020160601.tif 000015
【図１０Ｂ】
2020160601.tif 000016
【図１１】
2020160601.tif 000017
【図１２Ａ】
2020160601.tif 000018
【図１２Ｂ】
2020160601.tif 000019
【図１３】
2020160601.tif 000020
【図１４Ａ】
2020160601.tif 000021
【図１４Ｂ】
2020160601.tif 000022
【図１５】
2020160601.tif 000023
【図１６Ａ】
2020160601.tif 000024
【図１６Ｂ】
2020160601.tif 000025
【図１７】
2020160601.tif 000026